(57)【要約】  様々な干渉が到来する無線環境において、スループットを改善させること。基地局装置に対応する第１の参照信号と、前記基地局装置から設定された干渉情報に基づく第２の参照信号とを受信する受信部と、前記第１の参照信号と前記第２の参照信号とに基づいて、チャネル状態情報を生成するチャネル状態情報生成部と、前記チャネル状態情報を前記基地局装置に送信する送信部と、を備える。前記チャネル状態情報生成部は、前記第２の参照信号を干渉信号として考慮して前記チャネル状態情報を生成する。
2015166865.tif 000002
【特許請求の範囲】
【請求項１】
基地局装置と通信する端末装置であって、
前記基地局装置に対応する第１の参照信号と、前記基地局装置から設定された干渉情報に基づく第２の参照信号とを受信する受信部と、
前記第１の参照信号と前記第２の参照信号とに基づいて、チャネル状態情報を生成するチャネル状態情報生成部と、
前記チャネル状態情報を前記基地局装置に送信する送信部と、を備える端末装置。
【請求項２】
前記チャネル状態情報生成部は、前記第２の参照信号を干渉信号として考慮して前記チャネル状態情報を生成する請求項１に記載の端末装置。
【請求項３】
前記干渉情報は、複数設定されており、
前記チャネル状態情報生成部は、前記複数の干渉情報のうちの少なくとも１つを考慮して、干渉信号を除去または抑圧をした場合に適したチャネル状態情報を生成する請求項１に記載の端末装置。
【請求項４】
前記干渉情報は、複数設定されており、
前記複数の干渉情報のうちの少なくとも１つを示す情報が、チャネル状態情報要求として基地局装置から指示され、
前記チャネル状態情報生成部は、前記基地局装置から指示された干渉情報を考慮して、干渉信号を除去または抑圧をした場合に適したチャネル状態情報を生成する請求項１に記載の端末装置。
【請求項５】
前記チャネル状態情報生成部は、前記複数の干渉情報のうち、受信電力の大きい１つの干渉情報を選択し、前記選択した干渉情報を考慮して、干渉信号の除去または抑圧をした場合に適したチャネル状態情報を生成する請求項３に記載の端末装置。
【請求項６】
前記チャネル状態情報生成部は、前記選択した干渉情報を示す情報をチャネル状態情報として生成する請求項５に記載の端末装置。
【請求項７】
前記干渉情報は、チャネル状態情報プロセス毎に設定されており、
前記チャネル状態情報生成部は、前記チャネル状態情報プロセス毎に前記干渉情報を考慮して、干渉信号を除去または抑圧をした場合に適したチャネル状態情報を生成する請求項１に記載の端末装置。
【請求項８】
前記干渉情報はチャネル状態情報プロセス毎に複数設定されており、
前記チャネル状態情報生成部は、前記チャネル状態情報プロセス毎に、前記複数の干渉情報のうち少なくとも１つを考慮して、干渉信号を除去または抑圧をした場合に適したチャネル状態情報を生成する請求項１に記載の端末装置。
【請求項９】
基地局装置と通信する端末装置に実装される集積回路であって、
前記基地局装置に対応する第１の参照信号と、前記基地局装置から設定された干渉情報に基づく第２の参照信号とを受信する受信手段と、
前記第１の参照信号と前記第２の参照信号とに基づいて、チャネル状態情報を生成するチャネル状態情報生成手段と、
前記チャネル状態情報を前記基地局装置に送信する送信手段と、を備える集積回路。
【発明の詳細な説明】
【技術分野】
【０００１】
本発明は、端末装置および集積回路に関する。
【背景技術】
【０００２】
３ＧＰＰ（Third Generation Partnership Project）によるＷＣＤＭＡ（登録商標）（Wideband Code Division Multiple Access）、ＬＴＥ（Long Term Evolution）、ＬＴＥ−Ａ（LTE-Advanced）やＷｉＭＡＸ（Worldwide Interoperability for Microwave Access）のような通信システムでは、効率的なデータ伝送を実現するため、基地局装置（基地局、送信局、送信点、下りリンク送信装置、上りリンク受信装置、送信アンテナ群、送信アンテナポート群、コンポーネントキャリア、eNodeB）と端末装置（移動局装置、受信局、受信点、上りリンク送信装置、下りリンク受信装置、移動端末、受信アンテナ群、受信アンテナポート群、UE: User Equipment）との間の伝送路状況に応じて、変調方式および符号化率（MCS: Modulation and Coding Scheme）、空間多重数（レイヤ数、ランク）が適応的に制御される。【０００３】
例えば、ＬＴＥにおいて、下りリンクで送信される下りリンク送信信号（例えば、PDSCH（Physical Downlink Shared CHannel））のＭＣＳ、空間多重数等を適応的に制御する場合、端末装置は基地局装置から送信される下りリンク送信信号に含まれる下りリンク参照信号（DLRS: DownLink Reference Signal）を参照して、受信品質情報（或いは、チャネル状態情報（CSI: Channel State Information）とも称す）を計算し、上りリンクのチャネル（例えば、PUCCH、PUSCH）を介して前記基地局装置に報告する。前記基地局装置は、端末装置が送信した前記受信品質情報等を考慮して選択したＭＣＳや空間多重数が施された下りリンク送信信号を送信する。前記受信品質情報は、好適な空間多重数を指定するランク指標ＲＩ（Rank Indicator）、好適なプレコーダを指定するプレコーディング行列指標ＰＭＩ（Precoding Matrix Indicator）、好適な伝送レートを指定するチャネル品質指標ＣＱＩ（Channel Quality Indicator）などが該当する。このような受信品質情報については非特許文献１に記載されている。
【先行技術文献】
【非特許文献】
【０００４】
【非特許文献１】３ＧＰＰ  ＴＳ３６．２１３  Ｖ１１．４．０、３ｒｄ  Ｇｅｎｅｒａｔｉｏｎ  Ｐａｒｔｎｅｒｓｈｉｐ  Ｐｒｏｊｅｃｔ；  Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ；  Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  （Ｅ−ＵＴＲＡ）；Ｐｈｙｓｉｃａｌ  ｌａｙｅｒ  ｐｒｏｃｅｄｕｒｅｓ  （Ｒｅｌｅａｓｅ  １１）、２０１３年９月。
【発明の概要】
【発明が解決しようとする課題】
【０００５】
無線通信システムでは、周波数利用効率のさらなる向上のための１つの方法として、ヘテロジーニアスネットワークやスモールセルの高密度配置が検討されている。ヘテロジーニアスネットワークや高密度なスモールセル配置の場合、他セルからの干渉が増加する。しかしながら、このような様々な干渉状況の中で、チャネル状態情報として、非特許文献１に記載のＣＳＩを基地局装置に送信した場合、ＭＣＳや空間多重数が適切に適用されない場合があり、スループットが劣化してしまうという問題がある。【０００６】
本発明はこのような事情を鑑みてなされたものであり、その目的は、様々な干渉が到来する無線環境において、スループットを改善させることが可能な端末装置および集積回路を提供することにある。
【課題を解決するための手段】
【０００７】
上述した課題を解決するために本発明に係る端末装置および集積回路の構成は、次の通りである。【０００８】
本発明の端末装置は、基地局装置と通信する端末装置であって、前記基地局装置に対応する第１の参照信号と、前記基地局装置から設定された干渉情報に基づく第２の参照信号とを受信する受信部と、前記第１の参照信号と前記第２の参照信号とに基づいて、チャネル状態情報を生成するチャネル状態情報生成部と、前記チャネル状態情報を前記基地局装置に送信する送信部と、を備える。【０００９】
また、本発明の端末装置において、前記干渉情報は、複数設定されており、前記チャネル状態情報生成部は、前記複数の干渉情報のうちの少なくとも１つを考慮して、干渉信号を除去または抑圧をした場合に適したチャネル状態情報を生成する。【００１０】
また、本発明の端末装置において、前記複数の干渉情報のうちの少なくとも１つを示す情報が、チャネル状態情報要求として基地局装置から指示され、前記チャネル状態情報生成部は、前記基地局装置から指示された干渉情報を考慮して、干渉信号を除去または抑圧をした場合に適したチャネル状態情報を生成する。【００１１】
また、本発明の端末装置において、前記チャネル状態情報生成部は、前記複数の干渉情報のうち、受信電力の大きい１つの干渉情報を選択し、前記選択した干渉情報を考慮して、干渉信号の除去または抑圧をした場合に適したチャネル状態情報を生成する。【００１２】
また、本発明の端末装置において、前記チャネル状態情報生成部は、前記選択した干渉情報を示す情報をチャネル状態情報として生成する。【００１３】
また、本発明の端末装置において、前記干渉情報は、チャネル状態情報プロセス毎に設定されており、前記チャネル状態情報生成部は、前記チャネル状態情報プロセス毎に前記干渉情報を考慮して、干渉信号を除去または抑圧をした場合に適したチャネル状態情報を生成する。【００１４】
また、本発明の端末装置において、前記干渉情報はチャネル状態情報プロセス毎に複数設定されており、前記チャネル状態情報生成部は、前記チャネル状態情報プロセス毎に、前記複数の干渉情報のうち少なくとも１つを考慮して、干渉信号を除去または抑圧をした場合に適したチャネル状態情報を生成する。【００１５】
また、本発明の端末装置に実装される集積回路は、基地局装置に対応する第１の参照信号と、前記基地局装置から設定された干渉情報に基づく第２の参照信号とを受信する受信手段と、前記第１の参照信号と前記第２の参照信号とに基づいて、チャネル状態情報を生成するチャネル状態情報生成手段と、前記チャネル状態情報を前記基地局装置に送信する送信手段と、を備える。
【発明の効果】
【００１６】
本発明によれば、様々な干渉が到来する無線環境において、スループットを改善できるようになる。
【図面の簡単な説明】
【００１７】
【図１】本実施形態に係る通信システムの例を示す図である。
【図２】本実施形態に係る基地局装置の構成例を示すブロック図である。
【図３】本実施形態に係る端末装置の構成例を示すブロック図である。
【図４】本実施形態に係るランク指標の例を示す図である。
【図５】本実施形態に係るランク指標の例を示す図である。
【発明を実施するための形態】
【００１８】
本実施形態における通信システムは、基地局装置（送信装置、セル、送信点、送信アンテナ群、送信アンテナポート群、コンポーネントキャリア、eNodeB）および端末装置（端末、移動端末、受信点、受信端末、受信装置、受信アンテナ群、受信アンテナポート群、UE）を備える。
【００１９】
本実施形態において、“Ｘ／Ｙ”は、“ＸまたはＹ”の意味を含む。本実施形態において、“Ｘ／Ｙ”は、“ＸおよびＹ”の意味を含む。本実施形態において、“Ｘ／Ｙ”は、“Ｘおよび／またはＹ”の意味を含む。
【００２０】
図１は、本実施形態に係る通信システムの例を示す図である。図１に示すように、本実施形態における通信システムは、基地局装置１Ａ、１Ｂ、端末装置２Ａ、２Ｂ、２Ｃを備える。また、カバレッジ１−１は、基地局装置１Ａが端末装置と接続可能な範囲（通信エリア）である。またカバレッジ１−２は、基地局装置１Ｂが端末装置と接続可能な範囲（通信エリア）である。以下では、端末装置２Ａ、２Ｂを端末装置２とも記載する。
【００２１】
図１において、基地局装置１Ａが端末装置２Ａと端末装置２Ｂとを空間多重する場合や、端末装置２が基地局装置１Ｂからセル間干渉を受ける場合、端末装置２における受信信号は、自端末装置（第１の端末装置とも称する）宛の所望信号と、干渉となる端末装置（第２の端末装置とも称する）宛の信号とが含まれる。具体的には、端末装置２Ａにおける受信信号は、基地局装置１Ａから送信された自端末装置宛の所望信号と端末装置２Ｂ宛の信号及び基地局装置１Ｂから送信された端末装置２Ｃ宛の信号である干渉信号とが含まれる。また、端末装置２Ｂにおける受信信号は、基地局装置１Ａから送信された自端末装置宛の所望信号と端末装置２Ａ宛の信号及び基地局装置１Ｂから送信された端末装置２Ｃ宛の信号である干渉信号とが含まれる。
【００２２】
このように、本実施形態では、基地局装置が複数の端末装置を空間多重することによって、端末装置がユーザ間干渉を受ける場合や他の基地局装置からセル間干渉を受ける場合であれば良く、図１の通信システムに限定されない。また、ユーザ間干渉とセル間干渉は同時に受ける必要はなく、ユーザ間干渉のみを受ける場合やセル間干渉のみを受ける場合のどちらも本発明に含まれる。
【００２３】
図１において、端末装置２から基地局装置１Ａへの上りリンクの無線通信では、以下の上りリンク物理チャネルが用いられる。上りリンク物理チャネルは、上位層から出力された情報を送信するために使用される。
・ＰＵＣＣＨ（Physical Uplink Control Channel）
・ＰＵＳＣＨ（Physical Uplink Shared Channel）
・ＰＲＡＣＨ（Physical Random Access Channel）
【００２４】
ＰＵＣＣＨは、上りリンク制御情報（Uplink Control Information: UCI）を送信するために用いられる。ここで、上りリンク制御情報は、下りリンクデータ（下りリンクトランスポートブロック、Downlink-Shared Channel: DL-SCH）に対するＡＣＫ（a positive acknowledgement）またはＮＡＣＫ（a negative acknowledgement）（ACK/NACK）を含む。下りリンクデータに対するＡＣＫ／ＮＡＣＫを、ＨＡＲＱ−ＡＣＫ、ＨＡＲＱフィードバックとも称する。
【００２５】
また、上りリンク制御情報は、下りリンクに対するチャネル状態情報（Channel State Information: CSI）を含む。また、上りリンク制御情報は、上りリンク共用チャネル（Uplink-Shared Channel: UL-SCH）のリソースを要求するために用いられるスケジューリング要求（Scheduling Request: SR）を含む。前記チャネル状態情報は、好適な空間多重数を指定するランク指標ＲＩ、好適なプレコーダを指定するプレコーディング行列指標ＰＭＩ、好適な伝送レートを指定するチャネル品質指標ＣＱＩなどが該当する。
【００２６】
前記チャネル品質指標ＣＱＩは（以下、CQI値）、所定の帯域（詳細は後述）における好適な変調方式（例えば、QPSK、16QAM、64QAM、256QAMなど）、符号化率（code rate）とすることができる。ＣＱＩ値は、前記変更方式や符号化率により定められたインデックス（CQI Index）とすることができる。前記ＣＱＩ値は、予め当該システムで定めたものをすることができる。
【００２７】
なお、前記ランク指標、前記プレコーディング品質指標は、予めシステムで定めたものとすることができる。前記ランク指標や前記プレコーディング行列指標は、空間多重数やプレコーディング行列情報により定められたインデックスとすることができる。なお、前記ランク指標、前記プレコーディング行列指標、前記チャネル品質指標ＣＱＩの値をＣＳＩ値と総称する。
【００２８】
ＰＵＳＣＨは、上りリンクデータ（上りリンクトランスポートブロック、UL-SCH）を送信するために用いられる。また、ＰＵＳＣＨは、上りリンクデータと共に、ＡＣＫ／ＮＡＣＫおよび／またはチャネル状態情報を送信するために用いられても良い。また、ＰＵＳＣＨは、上りリンク制御情報のみを送信するために用いられても良い。
【００２９】
また、ＰＵＳＣＨは、ＲＲＣメッセージを送信するために用いられる。ＲＲＣメッセージは、無線リソース制御（Radio Resource Control: RRC）層において処理される情報／信号である。また、ＰＵＳＣＨは、ＭＡＣ  ＣＥ（Control Element）を送信するために用いられる。ここで、ＭＡＣ  ＣＥは、媒体アクセス制御（MAC: Medium Access Control）層において処理（送信）される情報／信号である。
【００３０】
例えば、パワーヘッドルームは、ＭＡＣ  ＣＥに含まれ、ＰＵＳＣＨを経由して報告されても良い。すなわち、ＭＡＣ  ＣＥのフィールドが、パワーヘッドルームのレベルを示すために用いられても良い。
【００３１】
ＰＲＡＣＨは、ランダムアクセスプリアンブルを送信するために用いられる。
【００３２】
また、上りリンクの無線通信では、上りリンク物理信号として上りリンク参照信号（Uplink Reference Signal: UL RS）が用いられる。上りリンク物理信号は、上位層から出力された情報を送信するためには使用されないが、物理層によって使用される。ここで、上りリンク参照信号には、ＤＭＲＳ（Demodulation Reference Signal）、ＳＲＳ（Sounding Reference Signal）が含まれる。
【００３３】
ＤＭＲＳは、ＰＵＳＣＨまたはＰＵＣＣＨの送信に関連する。例えば、基地局装置１Ａは、ＰＵＳＣＨまたはＰＵＣＣＨの伝搬路補正を行なうためにＤＭＲＳを使用する。ＳＲＳは、ＰＵＳＣＨまたはＰＵＣＣＨの送信に関連しない。例えば、基地局装置１Ａは、上りリンクのチャネル状態を測定するためにＳＲＳを使用する。
【００３４】
図１において、基地局装置１Ａから端末装置２への下りリンクの無線通信では、以下の下りリンク物理チャネルが用いられる。下りリンク物理チャネルは、上位層から出力された情報を送信するために使用される。
・ＰＢＣＨ（Physical Broadcast Channel）
・ＰＣＦＩＣＨ（Physical Control Format Indicator Channel）
・ＰＨＩＣＨ（Physical Hybrid automatic repeat request Indicator Channel）
・ＰＤＣＣＨ（Physical Downlink Control Channel）
・ＥＰＤＣＣＨ（Enhanced Physical Downlink Control Channel）
・ＰＤＳＣＨ（Physical Downlink Shared Channel）
【００３５】
ＰＢＣＨは、端末装置２で共通に用いられるマスターインフォメーションブロック（Master Information Block: MIB, Broadcast Channel: BCH）を報知するために用いられる。ＰＣＦＩＣＨは、ＰＤＣＣＨの送信に用いられる領域（例えば、OFDMシンボルの数）を指示する情報を送信するために用いられる。
【００３６】
ＰＨＩＣＨは、基地局装置１Ａが受信した上りリンクデータ（トランスポートブロック、コードワード）に対するＡＣＫ／ＮＡＣＫを送信するために用いられる。すなわち、ＰＨＩＣＨは、上りリンクデータに対するＡＣＫ／ＮＡＣＫを示すＨＡＲＱインディケータ（HARQフィードバック）を送信するために用いられる。また、ＡＣＫ／ＮＡＣＫは、ＨＡＲＱ−ＡＣＫとも呼称する。端末装置２は、受信したＡＣＫ／ＮＡＣＫを上位レイヤに通知する。ＡＣＫ／ＮＡＣＫは、正しく受信されたことを示すＡＣＫ、正しく受信しなかったことを示すＮＡＣＫ、対応するデータがなかったことを示すＤＴＸである。また、上りリンクデータに対するＰＨＩＣＨが存在しない場合、端末装置２はＡＣＫを上位レイヤに通知する。
【００３７】
ＰＤＣＣＨおよびＥＰＤＣＣＨは、下りリンク制御情報（Downlink Control Information: DCI）を送信するために用いられる。ここで、下りリンク制御情報の送信に対して、複数のＤＣＩフォーマットが定義される。すなわち、下りリンク制御情報に対するフィールドがＤＣＩフォーマットに定義され、情報ビットへマップされる。
【００３８】
例えば、下りリンクに対するＤＣＩフォーマットとして、１つのセルにおける１つのＰＤＳＣＨ（１つの下りリンクトランスポートブロックの送信）のスケジューリングに使用されるＤＣＩフォーマット１Ａが定義される。
【００３９】
例えば、下りリンクに対するＤＣＩフォーマットには、ＰＤＳＣＨのリソース割り当てに関する情報、ＰＤＳＣＨに対するＭＣＳ（Modulation and Coding Scheme）に関する情報、ＰＵＣＣＨに対するＴＰＣコマンドなどの下りリンク制御情報が含まれる。ここで、下りリンクに対するＤＣＩフォーマットを、下りリンクグラント（または、下りリンクアサインメント）とも称する。
【００４０】
また、例えば、上りリンクに対するＤＣＩフォーマットとして、１つのセルにおける１つのＰＵＳＣＨ（１つの上りリンクトランスポートブロックの送信）のスケジューリングに使用されるＤＣＩフォーマット０が定義される。
【００４１】
例えば、上りリンクに対するＤＣＩフォーマットには、ＰＵＳＣＨのリソース割り当てに関する情報、ＰＵＳＣＨに対するＭＣＳに関する情報、ＰＵＳＣＨに対するＴＰＣコマンドなど上りリンク制御情報が含まれる。上りリンクに対するＤＣＩフォーマットを、上りリンクグラント（または、上りリンクアサインメント）とも称する。
【００４２】
また、上りリンクに対するＤＣＩフォーマットは、下りリンクのチャネル状態情報（CSI: Channel State Information。受信品質情報とも称する。）を要求（CSI request）するために用いることができる。チャネル状態情報は、好適な空間多重数を指定するランク指標ＲＩ（Rank Indicator）、好適なプレコーダを指定するプレコーディング行列指標ＰＭＩ（Precoding Matrix Indicator）、好適な伝送レートを指定するチャネル品質指標ＣＱＩ（Channel Quality Indicator）などが該当する。
【００４３】
また、上りリンクに対するＤＣＩフォーマットは、端末装置が基地局装置にフィードバックするチャネル状態情報報告(CSI feedback report)をマップする上りリンクリソースを示す設定のために用いることができる。例えば、チャネル状態情報報告は、定期的にチャネル状態情報（Periodic CSI）を報告する上りリンクリソースを示す設定のために用いることができる。チャネル状態情報報告は、定期的にチャネル状態情報を報告するモード設定（CSI report mode）のために用いることができる。
【００４４】
例えば、チャネル状態情報報告は、不定期なチャネル状態情報（Aperiodic CSI）を報告する上りリンクリソースを示す設定のために用いることができる。チャネル状態情報報告は、不定期的にチャネル状態情報を報告するモード設定（CSI report mode）のために用いることができる。基地局装置１００−１、１００−２は、前記定期的なチャネル状態情報報告又は前記不定期的なチャネル状態情報報告のいずれかを設定することができる。また、基地局装置１００−１、１００−２は、前記定期的なチャネル状態情報報告及び前記不定期的なチャネル状態情報報告の両方を設定することもできる。
【００４５】
また、上りリンクに対するＤＣＩフォーマットは、端末装置が基地局装置にフィードバックするチャネル状態情報報告の種類を示す設定のために用いることができる。チャネル状態情報報告の種類は、広帯域ＣＳＩ（例えばWideband CQI）と狭帯域ＣＳＩ（例えば、Subband CQI）などがある。
【００４６】
また、前記上りリンクに対するＤＣＩフォーマットにおいて、前記定期的なチャネル状態情報報告又は前記不定期的なチャネル状態情報報告と前記チャネル状態情報報告の種類を含めたモード設定のために用いることができる。例えば、不定期的なチャネル状態情報報告かつ広帯域ＣＳＩを報告するモード、不定期的なチャネル状態情報報告かつ狭帯域ＣＳＩを報告するモード、不定期的なチャネル状態情報報告かつ広帯域ＣＳＩ及び狭帯域ＣＳＩを報告するモード、定期的なチャネル状態情報報告かつ広帯域ＣＳＩを報告するモード、定期的なチャネル状態情報報告かつ狭帯域ＣＳＩを報告するモード、定期的なチャネル状態情報報告かつ広帯域ＣＳＩ及び狭帯域ＣＳＩを報告するモードなどがある。
【００４７】
端末装置２は、下りリンクアサインメントを用いてＰＤＳＣＨのリソースがスケジュールされた場合、スケジュールされたＰＤＳＣＨで下りリンクデータを受信する。また、端末装置２は、上りリンクグラントを用いてＰＵＳＣＨのリソースがスケジュールされた場合、スケジュールされたＰＵＳＣＨで上りリンクデータおよび／または上りリンク制御情報を送信する。
【００４８】
ＰＤＳＣＨは、下りリンクデータ（下りリンクトランスポートブロック、DL-SCH）を送信するために用いられる。また、ＰＤＳＣＨは、システムインフォメーションブロックタイプ１メッセージを送信するために用いられる。システムインフォメーションブロックタイプ１メッセージは、セルスペシフィック（セル固有）な情報である。
【００４９】
また、ＰＤＳＣＨは、システムインフォメーションメッセージを送信するために用いられる。システムインフォメーションメッセージは、システムインフォメーションブロックタイプ１以外のシステムインフォメーションブロックＸを含む。システムインフォメーションメッセージは、セルスペシフィック（セル固有）な情報である。
【００５０】
また、ＰＤＳＣＨは、ＲＲＣメッセージを送信するために用いられる。ここで、基地局装置１Ａから送信されるＲＲＣメッセージは、セル内における複数の端末装置２に対して共通であっても良い。また、基地局装置１Ａから送信されるＲＲＣメッセージは、ある端末装置２に対して専用のメッセージ（dedicated signalingとも称する）であっても良い。すなわち、ユーザ装置スペシフィック（ユーザ装置固有）な情報は、ある端末装置２に対して専用のメッセージを使用して送信される。また、ＰＤＳＣＨは、ＭＡＣ  ＣＥを送信するために用いられる。
【００５１】
ここで、ＲＲＣメッセージおよび／またはＭＡＣ  ＣＥを、上位層の信号（higher layer signaling）とも称する。
【００５２】
また、ＰＤＳＣＨは、下りリンクのチャネル状態情報を要求するために用いることができる。また、ＰＤＳＣＨは、端末装置が基地局装置にフィードバックするチャネル状態情報報告(CSI feedback report)をマップする上りリンクリソースを送信するために用いることができる。例えば、チャネル状態情報報告は、定期的にチャネル状態情報（Periodic CSI）を報告する上りリンクリソースを示す設定のために用いることができる。チャネル状態情報報告は、定期的にチャネル状態情報を報告するモード設定（CSI report mode）
のために用いることができる。
【００５３】
下りリンクのチャネル状態情報報告の種類は広帯域ＣＳＩ（例えばWideband CSI）と狭帯域ＣＳＩ（例えば、Subband CSI）がある。広帯域ＣＳＩは、セルのシステム帯域に対して１つのチャネル状態情報を算出する。狭帯域ＣＳＩは、システム帯域を所定の単位に区分し、その区分に対して１つのチャネル状態情報を算出する。
【００５４】
また、下りリンクの無線通信では、下りリンク物理信号として同期信号（Synchronization signal: SS）、下りリンク参照信号（Downlink Reference Signal: DL RS）が用いられる。下りリンク物理信号は、上位層から出力された情報を送信するためには使用されないが、物理層によって使用される。
【００５５】
同期信号は、端末装置２が、下りリンクの周波数領域および時間領域の同期を取るために用いられる。また、下りリンク参照信号は、端末装置２が、下りリンク物理チャネルの伝搬路補正を行なうために用いられる。例えば、下りリンク参照信号は、端末装置２が、下りリンクのチャネル状態情報を算出するために用いられる。
【００５６】
ここで、下りリンク参照信号には、ＣＲＳ（Cell-specific Reference Signal）、ＰＤＳＣＨに関連するＵＲＳ（UE-specific Reference Signal）、ＥＰＤＣＣＨに関連するＤＭＲＳ（Demodulation Reference Signal）、ＮＺＰ  ＣＳＩ−ＲＳ（Non-Zero Power Chanel State Information-Reference Signal）、ＺＰ  ＣＳＩ−ＲＳ（Zero Power Chanel State Information-Reference Signal）が含まれる。
【００５７】
ＣＲＳは、サブフレームの全帯域で送信され、ＰＢＣＨ／ＰＤＣＣＨ／ＰＨＩＣＨ／ＰＣＦＩＣＨ／ＰＤＳＣＨの復調を行なうために用いられる。ＰＤＳＣＨに関連するＵＲＳは、ＵＲＳが関連するＰＤＳＣＨの送信に用いられるサブフレームおよび帯域で送信され、ＵＲＳが関連するＰＤＳＣＨの復調を行なうために用いられる。
【００５８】
ＥＰＤＣＣＨに関連するＤＭＲＳは、ＤＭＲＳが関連するＥＰＤＣＣＨの送信に用いられるサブフレームおよび帯域で送信される。ＤＭＲＳは、ＤＭＲＳが関連するＥＰＤＣＣＨの復調を行なうために用いられる。
【００５９】
ＮＺＰ  ＣＳＩ−ＲＳのリソースは、基地局装置１Ａによって設定される。例えば、端末装置２は、ＮＺＰ  ＣＳＩ−ＲＳを用いて信号の測定（チャネルの測定）を行なう。ＺＰ  ＣＳＩ−ＲＳのリソースは、基地局装置１Ａによって設定される。基地局装置１Ａは、ＺＰ  ＣＳＩ−ＲＳをゼロ出力で送信する。例えば、端末装置２は、ＮＺＰ  ＣＳＩ−ＲＳが対応するリソースにおいて干渉の測定を行なう。
【００６０】
ＺＰ  ＣＳＩ−ＲＳのリソースは、基地局装置１Ａ、が設定する。基地局装置１Ｂは、ＺＰ  ＣＳＩ−ＲＳをゼロ出力で送信する。つまり、基地局装置１Ａは、ＺＰ  ＣＳＩ−ＲＳを送信しない。基地局装置１Ｂは、ＺＰ  ＣＳＩ−ＲＳの設定したリソースにおいて、ＰＤＳＣＨおよびＥＰＤＣＣＨを送信しない。例えば、あるセルにおいてＮＺＰ  ＣＳＩ−ＲＳが対応するリソースにおいて、端末装置２Ｃは、干渉を測定することができる。
【００６１】
ＭＢＳＦＮ  ＲＳは、ＰＭＣＨの送信に用いられるサブフレームの全帯域で送信される。ＭＢＳＦＮ  ＲＳは、ＰＭＣＨの復調を行なうために用いられる。ＰＭＣＨは、ＭＢＳＦＮ  ＲＳの送信に用いられるアンテナポートで送信される。
【００６２】
ここで、下りリンク物理チャネルおよび下りリンク物理信号を総称して、下りリンク信号とも称する。また、上りリンク物理チャネルおよび上りリンク物理信号を総称して、上りリンク信号とも称する。また、下りリンク物理チャネルおよび上りリンク物理チャネルを総称して、物理チャネルとも称する。また、下りリンク物理信号および上りリンク物理信号を総称して、物理信号とも称する。
【００６３】
また、ＢＣＨ、ＵＬ−ＳＣＨおよびＤＬ−ＳＣＨは、トランスポートチャネルである。ＭＡＣ層で用いられるチャネルを、トランスポートチャネルと称する。また、ＭＡＣ層で用いられるトランスポートチャネルの単位を、トランスポートブロック（Transport Block: TB）、または、ＭＡＣ  ＰＤＵ（Protocol Data Unit）とも称する。トランスポートブロックは、ＭＡＣ層が物理層に渡す（deliverする）データの単位である。物理層において、トランスポートブロックはコードワードにマップされ、コードワード毎に符号化処理などが行なわれる。
【００６４】
端末装置は、ユーザ間干渉やセル間干渉を受ける場合に、端末装置で干渉信号を除去または抑圧する機能を備えることができる。このような技術は、３ＧＰＰ（3rd Generation Partnership Project）でＮＡＩＣＳ（Network Assisted Interference Cancellation and Suppression）として検討されている。ＮＡＩＣＳでは、端末装置は、干渉となっている他の端末装置に関するパラメータを受信もしくは検出し、前記パラメータを用いて干渉信号を除去または抑圧する。これにより、自端末装置宛の信号を精度良く得ることができる。干渉信号の除去または抑圧は、線形検出、非線形検出を行なうことができる。線形検出は、自端末装置宛の所望信号のチャネルと他端末装置宛の干渉信号のチャネルを考慮して検出することができる。このような線形検出はＥＬＭＭＳＥ−ＩＲＣ（Enhanced Linear Minimum Mean Square Error-Interference Rejection Combining）とも呼ばれる。また、非線形検出としては、干渉キャンセラや最尤検出をすることができる。
【００６５】
図２は、本実施形態における基地局装置１Ａの構成を示す概略ブロック図である。図２に示すように、基地局装置１Ａは、上位層処理部１０１、制御部１０２、送信部１０３、受信部１０４と送受信アンテナ１０５を含んで構成される。また、上位層処理部１０１は、無線リソース制御部１０１１、スケジューリング部１０１２を含んで構成される。また、送信部１０３は、符号化部１０３１、変調部１０３２、下りリンク参照信号生成部１０３３、多重部１０３４、無線送信部１０３５を含んで構成される。また、受信部１０４は、無線受信部１０４１、多重分離部１０４２、復調部１０４３、復号部１０４４を含んで構成される。
【００６６】
上位層処理部１０１は、媒体アクセス制御（Medium Access Control: MAC）層、パケットデータ統合プロトコル（Packet Data Convergence Protocol: PDCP）層、無線リンク制御（Radio Link Control: RLC）層、無線リソース制御（Radio Resource Control: RRC）層の処理を行なう。また、上位層処理部１０１は、送信部１０３および受信部１０４の制御を行なうために必要な情報を生成し、制御部１０２に出力する。
【００６７】
無線リソース制御部１０１１は、下りリンクのＰＤＳＣＨに配置される下りリンクデータ（トランスポートブロック）、システムインフォメーション、ＲＲＣメッセージ、ＭＡＣ  ＣＥなどを生成、又は上位ノードから取得する。無線リソース制御部１０１１は、下りリンクデータを送信部１０３に出力し、他の情報を制御部１０２に出力する。また、無線リソース制御部１０１１は、端末装置２の各種設定情報の管理をする。この設定情報には、干渉となる端末装置の設定情報を含めることができる。もしくは、自端末装置の設定情報から干渉となる端末装置の設定情報が取得できるようになっている。
【００６８】
無線リソース制御部１０１１は、チャネル状態情報報告設定を生成し、制御部１０２に出力することができる。無線リソース制御部１０１１は、チャネル状態情報要求を生成し、制御部１０２に出力することができる。
【００６９】
無線リソース制御部１０１１は、ＣＳＩフィードバックに関する設定情報に干渉情報を含めることができる。端末装置は干渉情報を用いて、ＣＳＩを求める。干渉情報は、例えば、干渉信号のｃｅｌｌ  ＩＤ、アンテナポート数、アンテナポート番号、変調方式、符号化率、ｖｉｒｔｕａｌ  ｃｅｌｌ  ＩＤ、スクランブリングアイデンティティ（nSCID）、など、端末装置がＣＳＩを求めるのに役立つ情報である。また、端末装置は、干渉情報に基づいて干渉信号に関連する参照信号を特定し、その参照信号に基づいてチャネル状態を測定することができる。例えば、その参照信号は、ＣＲＳ、ＣＳＩ−ＲＳおよび／またはＤＭＲＳである。なお、端末装置が干渉信号の除去または抑圧を行なう場合で、干渉信号を復調するための情報が基地局装置から送信される場合、ＣＳＩに関する干渉情報と復調に関する干渉情報は異なっても良い。以下、干渉情報は、特にことわりがない限り、ＣＳＩに関する干渉情報を表す。
【００７０】
本実施形態で説明される干渉情報において、端末装置はその干渉情報を干渉信号のための情報であることを認識する必要はない。すなわち、その干渉情報は、端末装置がＣＳＩを測定、生成およびレポートを行なうための情報であり、単に情報またはＣＳＩのための情報としても良い。
【００７１】
基地局装置は、全ての送信モード（transmission mode）によって干渉情報を設定することができるし、送信モードに応じて設定するか否かを判断することができる。例えば、基地局装置は、ＤＭＲＳを用いて復調する送信モードのときにＣＳＩフィードバックに関する設定情報に干渉情報を含めることができる。ＤＭＲＳを用いて復調する送信モードは、送信モード８／９／１０である。例えば、基地局装置は、ＣＲＳを用いて復調する送信モードのときにＣＳＩフィードバックに関する設定情報に干渉情報を含めることができる。言い換えると、端末装置は、所定の送信モードに対して干渉情報を設定される。すなわち、端末装置は、その所定の送信モード以外の送信モードにおいて、干渉情報が設定されることは期待しない。また、干渉情報が設定できる送信モードは、ＣＳＩプロセスが設定できる送信モードおよび／またはＣＳＩサブフレームセットが設定できる送信モードとすることができる。
【００７２】
基地局装置は、ＣＳＩの報告モードによって干渉情報を設定することができる。例えば、基地局装置は、ＰＭＩ／ＲＩの報告（PMI／RI reporting）が設定された場合に、ＣＳＩフィードバックに関する設定情報に干渉情報を含めることができる。例えば、基地局装置は、ＰＭＩ／ＲＩの報告が設定されていない場合に、ＣＳＩフィードバックに関する設定情報に干渉情報を含めることができる。例えば、基地局装置は、定期的にＣＳＩを報告する設定の場合にＣＳＩフィードバックに関する設定情報に干渉情報を含めることができる。例えば、基地局装置は、不定期にＣＳＩを報告する設定の場合に、ＣＳＩフィードバックに関する設定情報に干渉情報を含めることができる。例えば、基地局装置は、広帯域のＰＭＩ／ＣＱＩを報告する設定の場合に、ＣＳＩフィードバックに関する設定情報に干渉情報を含めることができる。例えば、基地局装置は、狭帯域のＰＭＩ／ＣＱＩを報告する設定の場合に、ＣＳＩフィードバックに関する設定情報に干渉情報を含めることができる。言い換えると、端末装置は、所定のＣＳＩ報告モードに対して干渉情報を設定されうる。すなわち、端末装置は、その所定のＣＳＩ報告モード以外のＣＳＩ報告モードにおいて、干渉情報が設定されることは期待しない。
【００７３】
基地局装置は、上位レイヤのシグナリングに、少なくともチャネル測定のためのＣＳＩ−ＲＳ（CSI-Reference Signal）と干渉測定のためのＣＳＩ−ＩＭ（CSI-Interference Measurement）を関連付けて、チャネル状態情報を算出する手順に関する設定(CSIプロセス)を含めることができる。ＣＳＩプロセスには、そのＣＳＩプロセスＩＤを含めることができる。基地局装置は、１つ以上のＣＳＩプロセスを設定することができる。基地局装置は、ＣＳＩのフィードバックを前記ＣＳＩプロセス毎に独立して生成することができる。基地局装置は、ＣＳＩプロセス毎にＣＳＩ-ＲＳリソースとＣＳＩ−ＩＭを異なる設定にすることができる。端末装置は、１つ以上のＣＳＩプロセスが設定され、設定されたＣＳＩプロセス毎に独立にＣＳＩ報告を行なう。また、ＣＳＩプロセスは、所定の送信モードにおいて設定される。
【００７４】
基地局装置は、ＣＳＩフィードバックに関する設定情報に干渉情報をＣＳＩプロセスと関連して送信することができる。基地局装置は、ＣＳＩプロセス毎に個別に干渉情報を設定することができる。基地局装置は、ＣＳＩサブフレームセット毎に個別に干渉情報を設定することができる。ＣＳＩサブフレームセットは、どのサブフレームに基づいてＣＳＩを生成するかを示すビットマップ情報である。例えば、基地局装置は、全てのＣＳＩプロセス、及び／または、全てのＣＳＩサブフレームセットに共通に設定することができる。
【００７５】
基地局装置は、端末装置に干渉信号の除去または抑圧を指示する場合に、ＣＳＩフィードバックに関する設定情報に干渉情報を含めることができる。例えば、基地局装置は、上位層でＮＡＩＣＳが設定されている場合に、ＣＳＩフィードバックに関する設定情報に干渉情報を含めることができる。
【００７６】
基地局装置は、１つの干渉情報を設定することができるし、複数の干渉情報を設定することができる。基地局装置は、端末装置に対して、設定した干渉情報を考慮してＣＳＩを生成するか否かを指示することができる。例えば、基地局装置は、下りリンク制御情報などを用いて、設定した干渉情報を考慮してＣＳＩを生成するか否かを示す情報を端末装置に送信することができる。また、複数の干渉情報が設定されている場合、その中の一部の干渉情報を示す情報を、下りリンク制御情報で端末装置に送信することができる。例えば、ＣＳＩプロセスで複数の干渉情報が設定されており、ＣＳＩ報告を要求する場合に、その中の１つの干渉情報を示す情報を端末装置に送信することができる。
【００７７】
スケジューリング部１０１２は、物理チャネル（PDSCHおよびPUSCH）を割り当てる周波数およびサブフレーム、物理チャネル（PDSCHおよびPUSCH）の符号化率および変調方式（あるいはMCS）および送信電力などを決定する。スケジューリング部１０１２は、決定した情報を制御部１０２に出力する。
【００７８】
スケジューリング部１０１２は、スケジューリング結果に基づき、物理チャネル（PDSCHおよびPUSCH）のスケジューリングに用いられる情報を生成する。スケジューリング部１０１２は、生成した情報を制御部１０２に出力する。本実施形態では、一例として、スケジューリング部１０１２は、端末装置２Ａおよび端末装置２Ｂを同じリソースにスケジューリングする。なお、本実施形態では簡単のため、同じリソースとしたが、異なるリソースにスケジューリングしても良い。なお、基地局装置１Ｂと協調してスケジューリングすることもできる。
【００７９】
制御部１０２は、上位層処理部１０１から入力された情報に基づいて、送信部１０３および受信部１０４の制御を行なう制御信号を生成する。制御部１０２は、上位層処理部１０１から入力された情報に基づいて、下りリンク制御情報を生成し、送信部１０３に出力する。
【００８０】
送信部１０３は、制御部１０２から入力された制御信号に従って、下りリンク参照信号を生成し、上位層処理部１０１から入力されたＨＡＲＱインディケータ、下りリンク制御情報、および、下りリンクデータを、符号化および変調し、ＰＨＩＣＨ、ＰＤＣＣＨ、ＥＰＤＣＣＨ、ＰＤＳＣＨ、および下りリンク参照信号を多重して、送受信アンテナ１０５を介して端末装置２に信号を送信する。
【００８１】
符号化部１０３１は、上位層処理部１０１から入力されたＨＡＲＱインディケータ、下りリンク制御情報、および下りリンクデータを、ブロック符号化、畳み込み符号化、ターボ符号化等の予め定められた符号化方式を用いて符号化を行なう、または無線リソース制御部１０１１が決定した符号化方式を用いて符号化を行なう。変調部１０３２は、符号化部１０３１から入力された符号化ビットをＢＰＳＫ（Binary Phase Shift Keying）、ＱＰＳＫ（quadrature Phase Shift Keying）、１６ＱＡＭ（quadrature amplitude modulation）、６４ＱＡＭ、２５６ＱＡＭ等の予め定められた、または無線リソース制御部１０１１が決定した変調方式で変調する。
【００８２】
下りリンク参照信号生成部１０３３は、基地局装置１Ａを識別するための物理セル識別子（PCI）などを基に予め定められた規則で求まる、端末装置２が既知の系列を下りリンク参照信号として生成する。
【００８３】
多重部１０３４は、変調された各チャネルの変調シンボルと生成された下りリンク参照信号と下りリンク制御情報とを多重する。つまり、多重部１０３４は、変調された各チャネルの変調シンボルと生成された下りリンク参照信号と下りリンク制御情報とをリソースエレメントに配置する。
【００８４】
無線送信部１０３５は、多重された変調シンボルなどを逆高速フーリエ変換（Inverse Fast Fourier Transform: IFFT）してＯＦＤＭシンボルを生成し、ＯＦＤＭシンボルにサイクリックプレフィックス（cyclic prefix: CP）を付加してベースバンドのディジタル信号を生成し、ベースバンドのディジタル信号をアナログ信号に変換し、フィルタリングにより余分な周波数成分を除去し、搬送周波数にアップコンバートし、電力増幅し、送受信アンテナ１０５に出力して送信する。
【００８５】
受信部１０４は、制御部１０２から入力された制御信号に従って、送受信アンテナ１０５を介して端末装置２から受信した受信信号を分離、復調、復号し、復号した情報を上位層処理部１０１に出力する。
【００８６】
無線受信部１０４１は、送受信アンテナ１０５を介して受信された上りリンクの信号を、ダウンコンバートによりベースバンド信号に変換し、不要な周波数成分を除去し、信号レベルが適切に維持されるように増幅レベルを制御し、受信された信号の同相成分および直交成分に基づいて、直交復調し、直交復調されたアナログ信号をディジタル信号に変換する。
【００８７】
無線受信部１０４１は、変換したディジタル信号からＣＰに相当する部分を除去する。無線受信部１０４１は、ＣＰを除去した信号に対して高速フーリエ変換（Fast Fourier Transform: FFT）を行ない、周波数領域の信号を抽出し多重分離部１０４２に出力する。
【００８８】
多重分離部１０４２は、無線受信部１０４１から入力された信号をＰＵＣＣＨ、ＰＵＳＣＨ、上りリンク参照信号などの信号に分離する。なお、この分離は、予め基地局装置１Ａが無線リソース制御部１０１１で決定し、各端末装置２に通知した上りリンクグラントに含まれる無線リソースの割り当て情報に基づいて行なわれる。
【００８９】
また、多重分離部１０４２は、ＰＵＣＣＨとＰＵＳＣＨの伝搬路の補償を行なう。また、多重分離部１０４２は、上りリンク参照信号を分離する。
【００９０】
復調部１０４３は、ＰＵＳＣＨを逆離散フーリエ変換（Inverse Discrete Fourier Transform: IDFT）し、変調シンボルを取得し、ＰＵＣＣＨとＰＵＳＣＨの変調シンボルそれぞれに対して、ＢＰＳＫ、ＱＰＳＫ、１６ＱＡＭ、６４ＱＡＭ、２５６ＱＡＭ等の予め定められた、または自装置が端末装置２各々に上りリンクグラントで予め通知した変調方式を用いて受信信号の復調を行なう。
【００９１】
復号部１０４４は、復調されたＰＵＣＣＨとＰＵＳＣＨの符号化ビットを、予め定められた符号化方式の、予め定められた、又は自装置が端末装置２に上りリンクグラントで予め通知した符号化率で復号を行ない、復号した上りリンクデータと、上りリンク制御情報を上位層処理部１０１へ出力する。ＰＵＳＣＨが再送信の場合は、復号部１０４４は、上位層処理部１０１から入力されるＨＡＲＱバッファに保持している符号化ビットと、復調された符号化ビットを用いて復号を行なう。
【００９２】
図３は、本実施形態における端末装置２の構成を示す概略ブロック図である。図３に示すように、端末装置２は、上位層処理部２０１、制御部２０２、送信部２０３、受信部２０４、チャネル状態情報生成部２０５と送受信アンテナ２０６を含んで構成される。また、上位層処理部２０１は、無線リソース制御部２０１１、スケジューリング情報解釈部２０１２を含んで構成される。また、送信部２０３は、符号化部２０３１、変調部２０３２、上りリンク参照信号生成部２０３３、多重部２０３４、無線送信部２０３５を含んで構成される。また、受信部２０４は、無線受信部２０４１、多重分離部２０４２、信号検出部２０４３を含んで構成される。
【００９３】
上位層処理部２０１は、ユーザの操作等によって生成された上りリンクデータ（トランスポートブロック）を、送信部２０３に出力する。また、上位層処理部２０１は、媒体アクセス制御（Medium Access Control: MAC）層、パケットデータ統合プロトコル（Packet Data Convergence Protocol: PDCP）層、無線リンク制御（Radio Link Control: RLC）層、無線リソース制御（Radio Resource Control: RRC）層の処理を行なう。
【００９４】
無線リソース制御部２０１１は、自端末装置の各種設定情報の管理をする。また、無線リソース制御部２０１１は、上りリンクの各チャネルに配置される情報を生成し、送信部２０３に出力する。
【００９５】
無線リソース制御部２０１１は、基地局装置から送信されたＣＳＩフィードバックに関する設定情報を取得し、制御部２０２に出力する。
【００９６】
スケジューリング情報解釈部２０１２は、受信部２０４を介して受信した下りリンク制御情報を解釈し、スケジューリング情報を判定する。また、スケジューリング情報解釈部２０１２は、スケジューリング情報に基づき、受信部２０４、および送信部２０３の制御を行なうために制御情報を生成し、制御部２０２に出力する。
【００９７】
制御部２０２は、上位層処理部２０１から入力された情報に基づいて、受信部２０４、チャネル状態情報生成部２０５および送信部２０３の制御を行なう制御信号を生成する。制御部２０２は、生成した制御信号を受信部２０４、チャネル状態情報生成部２０５および送信部２０３に出力して受信部２０４、および送信部２０３の制御を行なう。
【００９８】
制御部２０２は、上位層処理部２０１から入力されたＣＳＩフィードバックに関する設定情報に基づいて、干渉情報を考慮してＣＳＩを生成するか否かを判断することができる。例えば、制御部２０２は、干渉情報が設定されている場合に、干渉情報を考慮してＣＳＩを生成すると判断することができる。また、制御部２０２は、干渉情報が設定されている場合に、下りリンク制御情報に干渉情報を考慮してＣＳＩを生成することを示す情報があれば、干渉情報を考慮してＣＳＩを生成すると判断することができる。また、制御部２０２は、干渉情報が設定されている場合に、干渉情報を考慮してＣＳＩを生成するか否かを判断することができる。
【００９９】
複数の干渉情報が設定されている場合、制御部２０２は、全ての干渉情報を考慮してＣＳＩを生成するように、チャネル状態情報生成部２０５を制御することができる。また、複数の干渉情報が設定されている場合、その中の１つの干渉情報を考慮してＣＳＩを生成するように、チャネル状態情報生成部２０５を制御することができる。例えば、不定期にＣＳＩを報告する設定の場合で、ＣＳＩリクエストでどの干渉情報を考慮するかが指示された場合、制御部２０２は、基地局装置から指示された干渉情報を考慮してＣＳＩを生成するようにチャネル状態情報生成部２０５を制御する。また、定期的にＣＳＩを報告する設定の場合、複数の干渉情報のうち決められた１つを考慮してＣＳＩを生成するようにチャネル状態情報生成部２０５を制御することができる。また、定期的にＣＳＩを報告する設定の場合、複数の干渉情報を順番に１つずつ考慮してＣＳＩを生成するようにチャネル状態情報生成部２０５を制御することができる。また、定期に、及び／又は、不定期にＣＳＩを報告する設定の場合、制御部２０２は、例えば受信電力の大きい干渉信号を１つ決めて、それを考慮してＣＳＩを生成するようにチャネル状態情報生成部２０５を制御することができる。
【０１００】
ＣＳＩプロセス毎に干渉情報が設定されている場合、制御部２０２は、ＣＳＩプロセス毎に干渉情報を考慮してＣＳＩを生成するか否かを判断することができる。ＣＳＩサブフレームセット毎に干渉情報が設定されている場合、制御部２０２は、ＣＳＩプロセス毎に干渉情報を考慮してＣＳＩを生成するか否かを判断することができる。
【０１０１】
干渉情報を考慮してＣＳＩを生成すると判断した場合、制御部２０２は、干渉情報を考慮してＣＳＩを生成するようにチャネル状態情報生成部２０５を制御する。干渉情報を考慮せずにＣＳＩを生成すると判断した場合、干渉情報を考慮せずにＣＳＩを生成するようにチャネル状態情報生成部２０５を制御する。制御部２０２は、干渉情報を考慮してＣＳＩを生成する場合、干渉信号の除去または抑圧をした場合に適したＣＳＩを生成するようにチャネル状態情報生成部２０５を制御することができる。制御部２０２は、干渉情報を考慮してＣＳＩを生成する場合、干渉信号に関する報告情報を生成するようにチャネル状態情報生成部２０５を制御することができる。
【０１０２】
従来のＣＳＩは、自端末装置宛の所望信号に関するＣＱＩ／ＰＭＩ／ＲＩ等であるが、干渉情報が設定されている場合、制御部２０２は、干渉信号に関する報告情報を生成するようにチャネル状態情報生成部２０５を制御することができる。干渉信号に関する報告情報とは、例えば、干渉信号のＣＱＩ／ＰＭＩ／ＲＩ、端末装置が干渉除去可能な最大干渉レイヤ数、干渉除去の可否、干渉チャネルのチャネル行列などである。なお、特に断らない限り、本実施形態では、干渉信号に関する報告情報もＣＳＩとして説明する。また、自端末装置宛の所望信号に関するＣＳＩを第１のチャネル状態情報とも呼ぶ。また、干渉信号に関する報告情報を第２のチャネル状態情報とも呼ぶ。
【０１０３】
なお、第１のチャネル状態情報は、干渉信号の除去または抑圧をした場合に適したＣＳＩであっても良いし、干渉信号の除去または抑圧をしない場合に適したＣＳＩであっても良い。端末装置が、干渉信号の除去または抑圧を考慮してＣＳＩを生成するか否かは、基地局装置が指示することもできる。
【０１０４】
チャネル状態情報生成部２０５は、干渉信号の除去または抑圧を考慮したチャネル状態情報は、自端末装置宛の所望信号のチャネル推定値と他端末装置宛の干渉信号のチャネル推定値に基づき、線形検出した場合に適したチャネル状態情報を生成することができる。また、チャネル状態情報生成部２０５は、干渉信号のチャネル推定値に基づき、干渉信号を信号検出し、干渉キャンセルを行なった場合に適したチャネル状態情報を生成することができる。また、チャネル状態情報生成部２０５は、所望信号のチャネル推定値と干渉信号のチャネル推定値に基づき、最尤検出した場合に適したチャネル状態情報を生成することができる。また、干渉信号が完全にキャンセルできたと仮定した場合に適したチャネル状態情報を生成することができる。
【０１０５】
チャネル状態情報生成部２０５は、第１のチャネル状態情報及び第２のチャネル状態情報からチャネル状態報告信号を生成し、送信部２０３は、チャネル状態報告信号を基地局装置に送信することができる。フィードバック情報量の増加を抑えるため、チャネル状態情報生成部２０５は、従来の所望信号のみのＣＳＩフィードバック情報量（ビット数）と同じ情報量となるようにチャネル状態報告信号を生成することができる。この場合、端末装置は、フィードバック情報量の増加を抑えながら、より多くの報告情報を基地局装置に送信することができる。
【０１０６】
制御部２０２は、チャネル状態情報生成部２０５が生成したＣＳＩを基地局装置に送信するように送信部２０３を制御する。
【０１０７】
受信部２０４は、制御部２０２から入力された制御信号に従って、送受信アンテナ２０６を介して基地局装置１Ａから受信した受信信号を、分離、復調、復号し、復号した情報を上位層処理部２０１に出力する。受信部２０４は、受信信号に含まれる、基地局装置１Ａに対応する参照信号（第１の参照信号とも呼ぶ）と、基地局装置１Ａから設定された干渉情報に基づく参照信号（第２の参照信号とも呼ぶ）を受信し、チャネル状態情報生成部２０５に出力する。
【０１０８】
無線受信部２０４１は、送受信アンテナ２０６を介して受信した下りリンクの信号を、ダウンコンバートによりベースバンド信号に変換し、不要な周波数成分を除去し、信号レベルが適切に維持されるように増幅レベルを制御し、受信した信号の同相成分および直交成分に基づいて、直交復調し、直交復調されたアナログ信号をディジタル信号に変換する。
【０１０９】
また、無線受信部２０４１は、変換したディジタル信号からＣＰに相当する部分を除去し、ＣＰを除去した信号に対して高速フーリエ変換を行ない、周波数領域の信号を抽出する。
【０１１０】
多重分離部２０４２は、抽出した信号をＰＨＩＣＨ、ＰＤＣＣＨ、ＥＰＤＣＣＨ、ＰＤＳＣＨ、および下りリンク参照信号に、それぞれ分離する。また、多重分離部２０４２は、チャネル測定から得られた所望信号のチャネルの推定値に基づいて、ＰＨＩＣＨ、ＰＤＣＣＨ、およびＥＰＤＣＣＨのチャネルの補償を行ない、下りリンク制御情報を検出し、制御部２０２に出力する。また、制御部２０２は、ＰＤＳＣＨおよび所望信号のチャネル推定値を信号検出部２０４３に出力する。
【０１１１】
信号検出部２０４３は、ＰＤＳＣＨ、チャネル推定値を用いて、信号検出し、上位層処理部２０１に出力する。上位層で、ＮＡＩＣＳが設定されている場合、干渉信号の除去または抑圧を行なって、信号検出する。干渉信号の除去または抑圧としては、例えば、干渉信号のチャネル推定値を考慮する線形検出や、干渉信号のチャネル推定値や変調方式を考慮する干渉キャンセルまたは最尤検出を行なう。
【０１１２】
チャネル状態情報生成部２０５は、受信部２０４から入力された第１及び第２の参照信号、制御部２０２から入力された制御信号に従ってＣＳＩを求める。干渉情報が設定されている場合、第１のチャネル状態情報及び／又は第２のチャネル状態情報を生成する。第１のチャネル状態情報は、少なくとも第１の参照信号から生成される。干渉信号の除去または抑圧に適した第１のチャネル状態情報を生成する場合、第１の参照信号、及び、第２の参照信号及び／又は干渉情報に基づいて第１のチャネル状態情報を生成することができる。第２のチャネル状態情報は、少なくとも第２の参照信号から生成することができる。
【０１１３】
チャネル状態情報生成部２０５は、干渉情報を考慮したＣＳＩを生成することができる。従って、第１のチャネル状態情報を第１の参照信号のみに基づいて生成する場合、つまり干渉情報を考慮せずに第１のチャネル状態情報を生成する場合、第２のチャネル状態情報を生成する。干渉信号の除去または抑圧に適した第１のチャネル状態情報を生成する場合、つまり干渉情報に基づいて第１のチャネル状態情報を生成する場合、第２のチャネル状態情報は生成する場合もあれば、生成しない場合もある。第２のチャネル状態情報を生成するか否かは、基地局装置が設定することができる。
【０１１４】
チャネル状態情報生成部２０５は、複数の干渉情報が設定されている場合、全ての干渉情報を考慮してＣＳＩを生成することができる。また、チャネル状態情報生成部２０５は、複数の干渉情報が設定されている場合、その中の１つの干渉情報を考慮してＣＳＩを生成することができる。例えば、不定期にＣＳＩを報告する設定の場合で、ＣＳＩリクエストでどの干渉情報を考慮するかが指示された場合、チャネル状態情報生成部２０５は、基地局装置から指示された干渉情報を考慮してＣＳＩを生成する。また、定期的にＣＳＩを報告する設定の場合、チャネル状態情報生成部２０５は、複数の干渉情報のうち、決められた１つを考慮してＣＳＩを生成することができる。また、定期的にＣＳＩを報告する設定の場合、チャネル状態情報生成部２０５は、複数の干渉情報を順番に１つずつ考慮してＣＳＩを生成することができる。また、定期的に、及び／又は、不定期にＣＳＩを報告する設定の場合、チャネル状態情報生成部２０５は、例えば受信電力の大きい干渉信号を１つ決めて、それを考慮してＣＳＩを生成することができる。複数の干渉信号が設定されている場合で、その中の１つの干渉信号についてＣＳＩを生成する場合、端末装置は、１つの干渉信号を示す情報を、ＣＳＩとして、基地局装置に送信することができる。
【０１１５】
チャネル状態情報生成部２０５は、干渉情報が設定されている場合で、ＲＩを報告する設定となっている場合、第１のチャネル状態情報として自端末装置宛の所望信号のＲＩ、及び、第２のチャネル状態情報として他端末装置宛の干渉信号のＲＩを求めることができる。干渉信号のＲＩは、干渉除去可能なレイヤ数、干渉除去に適したレイヤ数、干渉除去の可否、などを表す。なお、自端末装置宛の所望信号のＲＩを第１のランク指標、他端末装置宛の干渉信号のＲＩを第２のランク指標とも呼ぶ。
【０１１６】
干渉信号のＲＩは、所望信号のＲＩとは異なるシグナリングで基地局装置に報告することができる。また、干渉信号のＲＩは、所望信号のＲＩと合わせて、ランク指標におけるチャネル状態報告信号として生成し、このチャネル状態報告情報を基地局装置に報告することができる。
【０１１７】
例えば、干渉のレイヤ数が１で固定されている場合、端末装置がランク指標におけるチャネル状態報告信号として２を基地局装置に報告した場合、基地局装置は、所望信号のＲＩを１、干渉信号のＲＩを１と判断することができる。
【０１１８】
また、端末装置は、干渉信号のＲＩを報告するように設定された場合、図４の例に示しているような値をチャネル状態報告信号として基地局装置に報告することができる。例えば、値０を端末装置が基地局装置に報告した場合、所望信号のＲＩが１、干渉信号のＲＩが０と判断することができる。なお、所望信号のＲＩは従来のＲＩと同様の意味である。干渉信号のＲＩは、干渉除去可能なレイヤ数、干渉除去の可否等を表すことができる。例えば、干渉信号のＲＩが０の場合は干渉除去不可を表し、ＲＩが１の場合は干渉除去可を表すことができる。干渉除去不可の場合は、基地局装置は干渉コーディネーションをすることができる。また、干渉信号のＲＩは、干渉除去することが望ましい干渉情報のインデックスとすることができる。例えば、上位層で干渉情報が複数設定されている場合、端末装置は、どの干渉信号を除去するのが好適かを判断し、判断した干渉情報を示す情報を干渉信号のＲＩとして基地局装置に報告することができる。
【０１１９】
また、図５に示しているように、干渉信号のＲＩを２以上とすることができる。また、値が６または７のように、端末装置は、所望信号のＲＩのみを基地局装置に報告することができる。
【０１２０】
図４、図５のようにすることで、端末装置は、フィードバック情報量を抑えながら、所望信号及び干渉信号のＣＳＩを基地局装置に報告することができる。
【０１２１】
チャネル状態情報生成部２０５は、干渉情報が設定されている場合で、ＰＭＩを報告する設定となっている場合、自端末装置宛の所望信号のＰＭＩ及び他端末装置宛の干渉信号のＰＭＩを生成することができる。干渉信号のＰＭＩは、干渉信号を除去する場合、干渉信号の信号電力が強くなるようなＰＭＩを選ぶ。干渉信号電力が強い方が、干渉信号の受信品質が良いため、干渉除去性能は向上する。
【０１２２】
チャネル状態情報生成部２０５は、干渉情報が設定されている場合で、ＣＱＩを報告する設定となっている場合、自端末装置宛の所望信号のＣＱＩ及び他端末装置宛の干渉信号のＣＳＩを生成することができる。所望信号のＣＱＩを基地局装置に送信する場合、干渉信号に関するＣＳＩとして、ＣＱＩ／ＰＭＩ／ＲＩを送信することができる。例えば、所望信号のＣＱＩと同じサブフレームで、干渉信号のＲＩを送信することができる。本実施形態では、干渉信号のＲＩは、干渉信号のランク数、干渉除去可能なレイヤ数、干渉除去の可否等を表すことができるため、端末装置が所望信号のＣＱＩと共に干渉信号のＲＩを報告することで、基地局装置は、所望信号のＣＱＩに加え、干渉状況を把握することができ、効率の良い通信ができるようになる。
【０１２３】
送信部２０３は、制御部２０２から入力された制御信号に従って、上りリンク参照信号を生成し、上位層処理部２０１から入力された上りリンクデータ（トランスポートブロック）を符号化および変調し、ＰＵＣＣＨ、ＰＵＳＣＨ、および生成した上りリンク参照信号を多重し、送受信アンテナ２０６を介して基地局装置１Ａに送信する。
【０１２４】
符号化部２０３１は、上位層処理部２０１から入力された上りリンク制御情報を畳み込み符号化、ブロック符号化等の符号化を行なう。また、符号化部２０３１は、ＰＵＳＣＨのスケジューリングに用いられる情報に基づきターボ符号化を行なう。
【０１２５】
変調部２０３２は、符号化部２０３１から入力された符号化ビットをＢＰＳＫ、ＱＰＳＫ、１６ＱＡＭ、６４ＱＡＭ等の下りリンク制御情報で通知された変調方式または、チャネル毎に予め定められた変調方式で変調する。
【０１２６】
上りリンク参照信号生成部２０３３は、基地局装置１Ａを識別するための物理セル識別子（physical cell identity: PCI、Cell IDなどと称される）、上りリンク参照信号を配置する帯域幅、上りリンクグラントで通知されたサイクリックシフト、ＤＭＲＳシーケンスの生成に対するパラメータの値などを基に、予め定められた規則（式）で求まる系列を生成する。
【０１２７】
多重部２０３４は、制御部２０２から入力された制御信号に従って、ＰＵＳＣＨの変調シンボルを並列に並び替えてから離散フーリエ変換（Discrete Fourier Transform: DFT）する。また、多重部２０３４は、ＰＵＣＣＨとＰＵＳＣＨの信号と生成した上りリンク参照信号を送信アンテナポート毎に多重する。つまり、多重部２０３４は、ＰＵＣＣＨとＰＵＳＣＨの信号と生成した上りリンク参照信号を送信アンテナポート毎にリソースエレメントに配置する。
【０１２８】
無線送信部２０３５は、多重された信号を逆高速フーリエ変換（Inverse Fast Fourier Transform: IFFT）して、ＳＣ−ＦＤＭＡ方式の変調を行ない、ＳＣ−ＦＤＭＡシンボルを生成し、生成されたＳＣ−ＦＤＭＡシンボルにＣＰを付加し、ベースバンドのディジタル信号を生成し、ベースバンドのディジタル信号をアナログ信号に変換し、余分な周波数成分を除去し、アップコンバートにより搬送周波数に変換し、電力増幅し、送受信アンテナ２０６に出力して送信する。
【０１２９】
このように、本実施形態では、端末装置は、基地局装置が設定した干渉情報に基づいたＣＳＩを生成して、基地局装置に送信するようにした。従って、端末装置毎に、干渉信号の除去または抑圧の可否、干渉信号の除去または抑圧の性能や方式が変わる場合であっても、各端末装置の干渉情報を基地局装置は把握できるようになり、効率的な通信が可能となる。
【０１３０】
なお、本発明に係る基地局装置及び端末装置で動作するプログラムは、本発明に関わる上記実施形態の機能を実現するように、ＣＰＵ等を制御するプログラム（コンピュータを機能させるプログラム）である。そして、これら装置で取り扱われる情報は、その処理時に一時的にＲＡＭに蓄積され、その後、各種ＲＯＭやＨＤＤに格納され、必要に応じてＣＰＵによって読み出し、修正・書き込みが行なわれる。プログラムを格納する記録媒体としては、半導体媒体（例えば、ROM、不揮発性メモリカード等）、光記録媒体（例えば、DVD、MO、MD、CD、BD等）、磁気記録媒体（例えば、磁気テープ、フレキシブルディスク等）等のいずれであっても良い。また、ロードしたプログラムを実行することにより、上述した実施形態の機能が実現されるだけでなく、そのプログラムの指示に基づき、オペレーティングシステムあるいは他のアプリケーションプログラム等と共同して処理することにより、本発明の機能が実現される場合もある。
【０１３１】
また市場に流通させる場合には、可搬型の記録媒体にプログラムを格納して流通させたり、インターネット等のネットワークを介して接続されたサーバコンピュータに転送したりすることができる。この場合、サーバコンピュータの記憶装置も本発明に含まれる。また、上述した実施形態における端末装置および基地局装置の一部、または全部を典型的には集積回路であるＬＳＩとして実現しても良い。受信装置の各機能ブロックは個別にチップ化しても良いし、一部、または全部を集積してチップ化しても良い。各機能ブロックを集積回路化した場合に、それらを制御する集積回路制御部が付加される。
【０１３２】
また、集積回路化の手法はＬＳＩに限らず専用回路、または汎用プロセッサで実現しても良い。また、半導体技術の進歩によりＬＳＩに代替する集積回路化の技術が出現した場合、当該技術による集積回路を用いることも可能である。
【０１３３】
なお、本願発明は上述の実施形態に限定されるものではない。本願発明の端末装置は、移動局装置への適用に限定されるものではなく、屋内外に設置される据え置き型、または非可動型の電子機器、たとえば、ＡＶ機器、キッチン機器、掃除・洗濯機器、空調機器、オフィス機器、自動販売機、その他生活機器などに適用出来ることは言うまでもない。
【０１３４】
以上、この発明の実施形態を、図面を参照して詳述してきたが、具体的な構成はこの実施形態に限られるものではなく、この発明の要旨を逸脱しない範囲の設計等も特許請求の範囲に含まれる。
【産業上の利用可能性】
【０１３５】
本発明は、端末装置および集積回路に用いて好適である。【０１３６】
なお、本国際出願は、２０１４年４月２８日に出願した日本国特許出願第２０１４−０９２３４９号に基づく優先権を主張するものであり、日本国特許出願第２０１４−０９２３４９号の全内容を本国際出願に援用する。
【符号の説明】
【０１３７】
１Ａ、１Ｂ  基地局装置
２Ａ、２Ｂ、２Ｃ  端末装置
１０１  上位層処理部
１０２  制御部
１０３  送信部
１０４  受信部
１０５  送受信アンテナ
１０１１  無線リソース制御部
１０１２  スケジューリング部
１０３１  符号化部
１０３２  変調部
１０３３  下りリンク参照信号生成部
１０３４  多重部
１０３５  無線送信部
１０４１  無線受信部
１０４２  多重分離部
１０４３  復調部
１０４４  復号部
２０１  上位層処理部
２０２  制御部
２０３  送信部
２０４  受信部
２０５  チャネル状態情報生成部
２０６  送受信アンテナ
２０１１  無線リソース制御部
２０１２  スケジューリング情報解釈部
２０３１  符号化部
２０３２  変調部
２０３３  上りリンク参照信号生成部
２０３４  多重部
２０３５  無線送信部
２０４１  無線受信部
２０４２  多重分離部
２０４３  信号検出部
【図１】
2015166865.tif 000003
【図２】
2015166865.tif 000004
【図３】
2015166865.tif 000005
【図４】
2015166865.tif 000006
【図５】
2015166865.tif 000007
【国際調査報告】
2015166865.tif 000008
2015166865.tif 000009
2015166865.tif 000010
2015166865.tif 000011